(57)【要約】【課題】簡易な構成で高いシールド性能を確保できるシールド構造を提供する。【解決手段】回路基板４上に配置され、対象部品を覆うシールドケース１と、シールドケース１の側面部を切り起こしてシールドケース１の天面から突出するように形成され、シールドケース１の天面に対向する接地部に当接するアース接続部２とを備える。【選択図】図１
2009117602.tif 000002
【特許請求の範囲】
【請求項１】
回路基板上に配置された対象部品からの電磁波をシールドするシールド構造において、
前記回路基板上に配置され、前記対象部品を覆うシールドケースと、
前記シールドケースの側面部を切り起こして前記シールドケースの天面から突出するように形成され、前記シールドケースの天面に対向する接地部に当接するアース接続部とを備えたことを特徴とするシールド構造。
【請求項２】
回路基板上に配置された対象部品からの電磁波をシールドするシールド構造において、
前記回路基板上に配置され、前記対象部品を覆うシールドケースと、
前記シールドケースの側面を折り曲げて前記シールドケースの天面から突出するように形成され、前記シールドケースの天面に対向する接地部に当接するアース接続部とを備えたことを特徴とするシールド構造。
【請求項３】
回路基板上に配置された対象部品からの電磁波をシールドするシールド構造において、
前記回路基板上に配置され、前記対象部品を覆うシールドケースと、
前記シールドケースの側面部に一体に設けられた板状部材を前記シールドケースの天面側に折り返し、かつ前記板状部材の端部を前記シールドケースの天面から突出するように折り曲げて形成され、前記シールドケースの天面に対向する接地部に当接するアース接続部とを備えたことを特徴とするシールド構造。
【請求項４】
対象部品からの電磁波をシールドすべき回路基板上の部品に対し、アース接続部を形成した側面の開口が向かないようにシールドケースを配置したことを特徴とする請求項１から請求項３のうちのいずれか１項記載のシールド構造。
【請求項５】
回路基板上に配置された対象部品からの電磁波をシールドするシールド構造において、
前記回路基板上に配置され、前記対象部品を囲むシールド枠部と、
互いの側面が重なるように前記シールド枠部を覆うシールド蓋部と、
前記シールド蓋部の側面部を切り起こして前記シールド蓋部の天面から突出するように形成され、前記シールド蓋部の天面に対向する接地部に当接するアース接続部とを備えたことを特徴とするシールド構造。
【請求項６】
回路基板上に配置された対象部品からの電磁波をシールドするシールド構造において、
前記回路基板上に配置され、前記対象部品を囲むシールド枠部と、
前記シールド枠部の開口周縁に形成され、前記シールド枠部の開口面上を内側に延びるリブ部と、
互いの側面が重なるように前記シールド枠部を覆うシールド蓋部と、
前記シールド蓋部で前記シールド枠部を覆った際に前記リブ部が鉛直下に位置する前記シールド蓋部の天面部を切り起こして形成され、前記シールド蓋部の天面に対向する接地部に当接するアース接続部とを備えたことを特徴とするシールド構造。
【請求項７】
回路基板上に配置された対象部品からの電磁波をシールドするシールド構造において、
前記回路基板上に配置され、前記対象部品を囲むシールド枠部と、
互いの側面が重なるように前記シールド枠部を覆うシールド蓋部と、
前記シールド蓋部の側面を折り曲げて前記シールド蓋部の天面から突出するように形成され、前記シールド蓋部の天面に対向する接地部に当接するアース接続部とを備えたことを特徴とするシールド構造。
【請求項８】
アース接続部は、接地部側の端辺に複数の接続片を備え、前記複数の接続片を介して前記接地部に当接することを特徴とする請求項１から請求項７のうちのいずれか１項記載のシールド構造。
【請求項９】
アース接続部は、シールドケースの天面の法線方向に沿った外力に対して弾性変形する片持ち梁状の構造を有することを特徴とする請求項１から請求項８のうちのいずれか１項記載のシールド構造。
【発明の詳細な説明】
【技術分野】
【０００１】
この発明は、電磁環境適合性（ＥＭＣ：Electro-Magnetic Compatibility）のために、携帯電話機等の機器に設けるシールド構造に関するものである。
【背景技術】
【０００２】
電気機器には、電界の相互作用を防ぐために機器内の素子周囲や素子間に接地された銅箔テープやシールド板金等からなるシールド構造が設けられている。例えば、携帯電話機の無線周波受信部は、電話機内部に設けたＩＣから放射された電磁波によるノイズ（妨害電波）を受信して受信感度が劣化する。このため、電磁波の放射量が多いＩＣの周囲には電磁波を遮断するシールド構造が設けられ、無線周波受信部に妨害電波が受信されることを防止している。
【０００３】
従来のシールド構造としては、例えば特許文献１に開示されるものがある。このシールド構造では、回路基板上に配置された電磁波の放射量が多いＩＣ等の電子部品を覆うようにシールドケースが設けられ、このシールドケースの天面部を切り起こして接続片を形成している。この接続片は、シールドケースの天面に対向する位置に配置された基板や筐体内壁面の接地部に接続される。このようにして、上記ＩＣ等の電子部品から放射される電磁波による他の部品への影響を軽減している。
【０００４】
【特許文献１】特開２００７−１２３７２２号公報
【発明の開示】
【発明が解決しようとする課題】
【０００５】
従来のシールド構造では、シールドケースの天面を切り起こして生じた開口部とシールドケース内のノイズ源との間を遮るものがなく、かつシールドケースの天面の開口部と回路基板上の他の部品を遮蔽する構成もない。このため、シールドケースの天面の開口部から漏洩したノイズにより回路基板上の他の部品が電波障害を受けるという課題があった。
【０００６】
例えば、特許文献１では、シールドケースの天面から切り起こした４つの切り起こし片を、接続片としてシールドケース天面に対向する基板や筐体内壁面の接地部に接続している（特許文献１の図１（ｃ）参照）。この構成では、隣り合った接続片間に隙間が生じたり、接続片の寸法やシールドケースの天面と上記接地部との間隔のばらつきにより４つの接続片の全てが接地部に接続できない場合も考えられる。このような場合では、隣り合う接続片間の隙間や接続片が接地部に届かずに生じた隙間からノイズが漏れ出し、所望のシールド性能が得られない。
【０００７】
この発明は、上記のような課題を解決するためになされたもので、簡易な構成で高いシールド性能を確保することができるシールド構造を得ることを目的とする。
【課題を解決するための手段】
【０００８】
この発明に係るシールド構造は、回路基板上に配置された対象部品からの電磁波をシールドするシールド構造において、回路基板上に配置され、対象部品を覆うシールドケースと、シールドケースの側面部を切り起こしてシールドケースの天面から突出するように形成され、シールドケースの天面に対向する接地部に当接するアース接続部とを備えたことを特徴とするものである。
【発明の効果】
【０００９】
この発明によれば、シールドケースの側面部を切り起こしてシールドケースの天面から突出するように形成したアース接続部でシールドケースの天面に対向する接地部に当接させるので、シールドケースの天面に開口部が生じることがなく、電磁波の漏洩箇所がシールドケースの側面側に絞られる。これにより、シールドケースにおいてアース接続部を設けない側面及び天面で電磁波をシールドすることができることから、高いシールド性能を確保することができるという効果がある。
【発明を実施するための最良の形態】
【００１０】
実施の形態１．
図１は、この発明の実施の形態１によるシールド構造の斜視図であり、図２は、図１中のシールド構造の展開図、図３は、図１中のＡ方向からみた側面図である。この実施の形態１によるシールド構造は、適用対象の電子機器内に設けられ、図１に示すようにシールドケース１とアース接続部２を備える。シールドケース１は、ノイズ源となる電子部品（対象部品）を覆うように上記電子機器内の基板上に配置される。また、アース接続部２は、シールドケース１の天面から突出する態様で設けられ、上記電子機器内のシールドケース１の天面に対向する基板や筐体内壁面に設けた接地部に当接して電気的に接続される。
【００１１】
この実施の形態１によるシールド構造は、図１及び図２に示すように１枚の板金を折り曲げることにより、シールドケース１及びアース接続部２が構成される。アース接続部２は、シールドケース１の１側面に形成した短冊状の折り返し片を折り曲げることにより、シールドケース１の天面から突出する態様となる。このとき、シールドケース１の天面の法線方向にばね性を持つように折り曲げることで、アース接続部２は、図３中で符号ａを付した部分を基部とした片持ち梁状の構造となり、図３中の矢印方向（シールドケース１の天面の法線方向）の外力が印加されるとたわむ（弾性変形する）性質を有する。
【００１２】
また、アース接続部２は、実施の形態１によるシールド構造を適用対象の電子機器に取り付けた際、シールドケース１の天面とこれに対向する位置に配置された基板や筐体内壁面の接地部との間に形成される間隔よりもシールドケース１の天面から突出する寸法で構成しておく。これにより、シールドケース１の天面と上記接地部との間隔にばらつきが生じても、このばらつきをアース接続部２のたわみによって吸収することができ、アース接続部２と上記接地部とを確実に接続することができる。
【００１３】
上述したように、シールドケース１の１側面の一部を折り返してアース接続部２を構成するため、図３に示すようにシールドケース１の１側面に開口部３が形成される。そこで、この実施の形態１によるシールド構造では、開口部３の向きを考慮した配置とすることにより、シールドケース１内のノイズ源とノイズの影響を受けやすい他の部品との空間アイソレーションを確保している。
【００１４】
図４は、図１中のシールド構造を設けた無線通信機の内部構造を概略的に示す図であり、シールドケース１を図１中のＢ方向からみた様子を示している。図４において、シールドケース１は、回路基板４上のノイズ源となる部品を覆うように配置される。また、回路基板４に対向する位置（シールドケース１の天面に対向する位置）に配置された基板５は、導体により形成された接地部を有する。アース接続部２は、図４に示すように基板５の接地部に当接することにより、シールドケース１を接地電位としている。
【００１５】
アンテナ６は、上記無線通信機の無線周波受信部であり、電磁波によるノイズ（妨害電波）を受信すると受信感度が劣化する。すなわち、アンテナ６は、シールドケース１内に配置されたノイズ源となる電子部品との空間アイソレーションを確保する必要がある構成要素である。
【００１６】
従来のシールド構造では、シールドケースの天面に開口部が形成されるため、上述のようなアンテナとシールドケースの天面の開口部とを接続片のみで遮断する必要があった。これに対して、この実施の形態１によるシールド構造では、シールドケース１の側面に開口部３が位置する。このため、図４に示すように開口部３がアンテナ６とは反対側に向くようにシールドケース１を配置することができる。
【００１７】
このようにすることで、開口部３を有さないシールドケース１の他の側面及び天面がアンテナ６との間を遮蔽するので、シールドケース１内のノイズ源とアンテナ６との空間アイソレーションを確保でき、高いシールド性能を得ることができる。
【００１８】
以上のように、この実施の形態１によれば、回路基板４上に配置され、電磁波のシールド対象部品を覆うシールドケース１と、シールドケース１の側面部を切り起こしてシールドケース１の天面から突出するように形成され、シールドケース１の天面に対向する接地部に当接するアース接続部２とを備えたので、シールドケース１の天面に開口部が生じることがなく、電磁波の漏洩箇所がシールドケース１の側面側に絞られる。これにより、シールドケース１においてアース接続部２を設けない側面及び天面で電磁波をシールドすることができることから、高いシールド性能を確保することができる。
【００１９】
なお、上記実施の形態１では、シールドケース１の１側面からアース接続部２を１つ設ける構成を示したが、これに限定されるものではない。例えば、シールドケース１の１側面に複数のアース接続部２を設けてもよく、電磁波を放射するシールド対象部品との間で空間アイソレーションを確保する必要がある他の部品とシールドケース１の開口部との位置関係が許せば、シールドケース１の複数の側面にアース接続部２を設けてもよい。
【００２０】
また、上記実施の形態１に示すアース接続部２は、図１及び図２で示した形状に限定されるものではなく、シールドケース１の天面から突出してシールドケース１の天面に対向する位置に配置された基板や筐体内壁面の接地部に当接する形状であればよい。
【００２１】
実施の形態２．
図５は、この発明の実施の形態２によるシールド構造を示す斜視図であり、図６は、図５中のシールド蓋部の展開図である。図５に示すように、この実施の形態２によるシールド構造は、ノイズ源となる電子部品を囲むように基板上に配置されるシールド枠部１ｂ、シールド枠部１ｂを覆うように取り付けられるシールド蓋部１ａ、及びシールド蓋部１ａの側面に設けられたアース接続部２を備える。
【００２２】
シールド蓋部１ａは、図６に示すように１枚の板金を折り曲げることにより構成される。アース接続部２は、上記実施の形態１と同様に、シールド蓋部１ａの１側面に形成した短冊状の折り返し片を折り曲げることにより、シールド蓋部１ａの天面から突出する態様となる。このとき、シールド蓋部１ａの天面の法線方向にばね性を持つように折り曲げることで片持ち梁状の構造となり、アース接続部２は、シールド蓋部１ａの天面の法線方向に沿った外力が印加されるとたわむ（弾性変形する）性質を有する。
【００２３】
また、シールド蓋部１ａの天面とこれに対向する位置に配置された基板や筐体内壁面の接地部との間に形成される間隔よりもシールド蓋部１ａの天面から突出する寸法でアース接続部２を構成しておく。これにより、シールド蓋部１ａの天面と上記接地部との間隔にばらつきが生じても、このばらつきをアース接続部２のたわみによって吸収することができ、アース接続部２と上記接地部とを確実に接続することができる。
【００２４】
シールド枠部１ｂは、シールド蓋部１ａと同様に１枚の板金から構成され、ノイズ源の電子部品を囲むように基板上に設けられる。また、シールド枠部１ｂの開口周囲に設けたリブ７は、例えばシールド枠部１ｂの側面の上端部を折り曲げることにより形成され、上記開口部を狭めるようにシールド枠部１ｂの開口面上を内側に延びている。
【００２５】
シールド蓋部１ａは、シールド枠部１ｂを覆って互いの側面が重なるように嵌合により取り付けられるので、シールド蓋部１ａの側面部の開口は、シールド枠部１ｂの側面によって塞がれる。これにより、シールド蓋部１ａの側面部の開口からのノイズ漏れ出しを防止することができる。
【００２６】
以上のように、この実施の形態２によれば、電磁波のシールド対象部品を囲むシールド枠部１ｂと、互いの側面が重なるようにシールド枠部１ｂを覆うシールド蓋部１ａと、シールド蓋部１ａの側面部を切り起こしてシールド蓋部１ａの天面から突出するように形成され、シールド蓋部１ａの天面に対向する接地部に当接するアース接続部２とを備えたので、シールド枠部１ｂをシールド蓋部１ａで覆うことにより、全ての開口部が塞がれる構成であることから、ノイズとなる電磁波の漏洩を防止することができ、上記実施の形態１よりも高いシールド性能を確保することができる。
【００２７】
なお、上記実施の形態２では、シールド蓋部１ａの１側面からアース接続部２を１つ設ける構成を示したが、これに限定されるものではない。例えば、シールド蓋部１ａの１側面に複数のアース接続部２を設けてもよい。
【００２８】
また、上記実施の形態２に示すアース接続部２は、図５及び図６で示した形状に限定されるものではなく、シールド蓋部１ａの天面から突出してシールド蓋部１ａの天面に対向する位置に配置された基板や筐体内壁面の接地部に当接する形状であればよい。
【００２９】
実施の形態３．
図７は、この発明の実施の形態３によるシールド構造を示す斜視図である。図７に示すように、この実施の形態３によるシールド構造は、上記実施の形態２と同様に、シールド枠部１ｂとシールド蓋部１ｃの２ピース構成であるが、シールド蓋部１ｃの天面を切り起こしてアース接続部２ａを設けた点で上記実施の形態１及び上記実施の形態２と異なる。
【００３０】
アース接続部２ａは、図７に示すリブ（リブ部）７の領域Ｃの鉛直線上に位置するシールド蓋部１ｃの天面部を切り起こすことにより形成される。ここで、シールド蓋部１ｃの天面部を切り起こした切り起こし片を、シールド蓋部１ｃの天面の法線方向にばね性を持つように折り曲げることで片持ち梁状の構造となる。これにより、アース接続部２ａは、シールド蓋部１ｃの天面の法線方向に沿った外力が印加されるとたわむ（弾性変形する）性質を有する。
【００３１】
また、シールド蓋部１ｃの天面とこれに対向する位置に配置された基板や筐体内壁面の接地部との間に形成される間隔よりもシールド蓋部１ｃの天面から突出する寸法でアース接続部２ａを構成しておく。これにより、シールド蓋部１ｃの天面と上記接地部との間隔にばらつきが生じても、このばらつきをアース接続部２ａのたわみによって吸収することができ、アース接続部２ａと上記接地部とを確実に接続することができる。
【００３２】
シールド枠部１ｂは、シールド蓋部１ｃと同様に１枚の板金から構成され、ノイズ源の電子部品を囲むように基板上に設けられる。また、シールド枠部１ｂの開口周囲に設けたリブ７は、例えばシールド枠部１ｂの側面の上端部を折り曲げることにより形成され、上記開口部を狭めるようにシールド枠部１ｂの開口面上を内側に延びている。
【００３３】
シールド蓋部１ｃは、シールド枠部１ｂを覆って互いの側面が重なるように嵌合により取り付けられるので、シールド蓋部１ｃの天面に生じた開口部３ａはリブ７の領域Ｃによって塞がれる。このため、シールド枠部１ｂのリブ７によってシールド蓋部１ｃの天面に生じた開口部３ａからノイズが漏れ出すことを防止することができる。
【００３４】
以上のように、この実施の形態３によれば、電磁波のシールド対象部品を囲むシールド枠部１ｂと、シールド枠部１ｂの開口周縁に形成され、シールド枠部１ｂの開口面上を内側に延びるリブ７と、互いの側面が重なるようにシールド枠部１ｂを覆うシールド蓋部１ｃと、シールド蓋部１ｃでシールド枠部１ｂを覆った際にリブ７が鉛直下に位置するシールド蓋部１ｃの天面部を切り起こして形成され、シールド蓋部１ｃの天面に対向する接地部に当接するアース接続部２ａとを備えたので、シールド枠部１ｂをシールド蓋部１ａで覆うことにより、シールド蓋部１ｃの開口部３ａがリブ７によって塞がれる構成であることから、ノイズとなる電磁波の漏洩を防止することができ、高いシールド性能を確保することができる。
【００３５】
なお、上記実施の形態３では、シールド蓋部１ｃの天面の一部にアース接続部２ａを１つ設ける構成を示したが、これに限定されるものではない。例えば、鉛直下にリブ７が位置するシールド蓋部１ｃの天面部であれば、複数の箇所にアース接続部２ａを設けてもよい。
【００３６】
また、上記実施の形態３に示すアース接続部２は、図７で示した形状に限定されるものではなく、シールド蓋部１ｃの天面から突出してシールド蓋部１ｃの天面に対向する位置に配置された基板や筐体内壁面の接地部に当接する形状であればよい。
【００３７】
実施の形態４．
図８は、この発明の実施の形態４によるシールド構造を示す斜視図であり、図９は、図８中のシールド構造の展開図である。この実施の形態４によるシールド構造は、適用対象の電子機器内に設けられ、図８に示すようにシールドケース１ｄとアース接続部２ｂを備える。シールドケース１ｄは、ノイズ源となる電子部品を覆うように上記電子機器内の基板上に配置される。また、アース接続部２ｂは、シールドケース１ｄの天面から突出した態様で設けられ、上記電子機器内のシールドケース１ｄの天面に対向する基板や筐体内壁面に設けた接地部に当接して電気的に接続される。
【００３８】
この実施の形態４によるシールド構造は、図８及び図９に示すように１枚の板金を折り曲げることにより、シールドケース１ｄ及びアース接続部２ｂが構成される。アース接続部２ｂは、図９に示すシールドケース１ｄの１側面部に一体に設けられた板状部（板状部材）８とこれに接続するシールドケース１ｄの天面の１辺と同一幅を有する矩形部（板状部材）８ａとを、図８に示すようにシールドケース１ｄの天面側に折り返し、さらに矩形部８ａをシールドケース１ｄの天面の法線方向にばね性を持つように折り曲げることにより、シールドケース１ｄの天面に設置される。このように構成することにより、アース接続部２ｂは、図８中で符号ｂを付した部分を基部とした片持ち梁状の構造となり、シールドケース１ｄの天面の法線方向の外力が印加されるとたわむ（弾性変形する）性質を有する。
【００３９】
また、アース接続部２ｂは、実施の形態３によるシールド構造を適用対象の電子機器に取り付けた際、シールドケース１ｄの天面とこれに対向する位置に配置された基板や筐体内壁面の接地部との間に形成される間隔よりもシールドケース１ｄの天面から突出する寸法で構成しておく。これにより、シールドケース１ｄの天面と上記接地部との間隔にばらつきが生じても、このばらつきをアース接続部２ｂのたわみで吸収することができ、アース接続部２ｂと上記接地部とを確実に接続することができる。
【００４０】
上述したように、シールドケース１ｄの１側面の一部を折り返してアース接続部２ｂを構成するので、図８に示すように、シールドケース１ｄの１側面に開口部３ｂが形成される。そこで、この実施の形態３によるシールド構造では、開口部３ｂの向きを考慮した配置とすることにより、シールドケース１ｄ内のノイズ源とノイズの影響を受けやすい他の部品との空間アイソレーションを確保している。
【００４１】
図１０は、図８中のシールド構造を設けた無線通信機の内部構造を概略的に示す図であり、シールドケース１ｄを図８中のＤ方向からみた様子を示している。図１０において、シールドケース１ｄは、回路基板４上のノイズ源となる電子部品を覆うように配置される。また、回路基板４に対向する位置（シールドケース１ｄの天面に対向する位置）に配置された基板５は、導体により形成された接地部を有する。アース接続部２ｂは、図１０に示すように基板５の接地部に当接することにより、シールドケース１ｄを接地電位としている。
【００４２】
アンテナ６は、上記無線通信機の無線周波受信部であり、電磁波によるノイズ（妨害電波）を受信すると受信感度が劣化する。すなわち、アンテナ６は、シールドケース１ｄ内に配置されたノイズ源となる電子部品との空間アイソレーションを確保する必要がある構成要素である。
【００４３】
従来のシールド構造では、シールドケースの天面に開口部が形成されるために、上述のようなアンテナとシールドケースの天面の開口部とをアース接続片のみで遮断する必要があった。これに対して、この実施の形態４によるシールド構造では、シールドケース１ｄの側面に開口部３ｂが位置する。このため、図１０に示すように開口部３ｂがアンテナ６とは反対側に向くようにシールドケース１ｄを配置することができる。
【００４４】
このようにすることで、開口部３ｂを有さないシールドケース１ｄの他の側面及び天面がアンテナ６との間を遮蔽するので、シールドケース１ｄ内のノイズ源とアンテナ６との空間アイソレーションを確保でき、高いシールド性能を得ることができる。
【００４５】
また、アース接続部は、図８で示した形状に限定されるものではなく、下記のような構成としてもよい。図１１は、実施の形態４によるアース接続部の他の例を示す斜視図である。図１１に示すアース接続部２ｃには、接地部側の端部に複数のばね性を有する接続片２ｃ−１が形成されている。
【００４６】
このように構成することにより、接地部との接続が細かな点接点の集合となるため、アース接続部２ｃの接続片２ｃ−１を設けた１辺がシールドの壁となる。例えば、携帯電話機のようなアンテナを搭載した電子機器に用いる場合、シールドケース１ｄのアンテナ側にアース接続部２ｃを配置すれば、アンテナから見てアース接続部２ｃの後ろ側（シールドケース１ｄの上部）にもシールド効果が得られる。
【００４７】
以上のように、この実施の形態４によれば、電磁波のシールド対象部品を覆うシールドケース１ｄと、シールドケース１ｄの側面部に一体に設けられた板状部８及び矩形部８ａをシールドケース１ｄの天面側に折り返し、かつ板状部８の端部にある矩形部８ａをシールドケース１ｄの天面から突出するように折り曲げて形成され、シールドケース１ｄの天面に対向する接地部に当接するアース接続部２ｃとを備えたので、シールドケース１ｄの天面に開口部が生じることがなく、電磁波の漏洩箇所がシールドケース１ｄの側面側に絞られる。これにより、シールドケース１ｄにおいてアース接続部２ｃを設けない側面及び天面で電磁波をシールドでき、高いシールド性能を確保することができる。また、上記実施の形態１と比較して板状部８ａの折り返し部分によってシールドケース１ｄの側面の開口が狭められるので、電磁波の漏洩を軽減することができる。
【００４８】
また、この実施の形態４によれば、アース接続部２ｃが、接地部側の端辺に複数の接続片２ｃ−１を備え、複数の接続片２ｃ−１を介して接地部に当接するので、接続片２ｃ−１が点接点の集合体となって、アース接続部２ｃが電磁波をシールドするシールド壁として機能する。これにより、より強固にシールドすることができる。なお、図１１に示す構成は、上記実施の形態４のみならず、上記実施の形態１〜３、後述する実施の形態５に適用してもよい。
【００４９】
実施の形態５．
図１２は、この発明の実施の形態５によるシールド構造を示す斜視図であり、図１３は、図１２中のシールド蓋部の展開図である。図１２に示すように、この実施の形態５によるシールド構造は、ノイズ源となる電子部品を囲むように基板上に配置されるシールド枠部１ｂ、シールド枠部１ｂを覆うように取り付けられるシールド蓋部１ｅ、及びシールド蓋部１ｅの側面に設けられたアース接続部２ｄを備える。
【００５０】
シールド蓋部１ｅは、図１３に示すように１枚の板金を折り曲げることにより構成される。アース接続部２ｄは、シールド蓋部１ｅの１側面を折り曲げることにより、シールド蓋部１ｅの天面から突出する態様で設けられる。このとき、シールド蓋部１ｅの天面の法線方向にばね性を持つように折り曲げることで片持ち梁状の構造となり、アース接続部２ｄは、シールド蓋部１ｅの天面の法線方向に沿った外力が印加されるとたわむ（弾性変形する）性質を有する。
【００５１】
また、シールド蓋部１ｅの天面とこれに対向する位置に配置された基板や筐体内壁面の接地部との間に形成される間隔よりもシールド蓋部１ｅの天面から突出する寸法でアース接続部２ｄを構成しておく。これにより、シールド蓋部１ｅの天面と上記接地部との間隔にばらつきが生じても、このばらつきをアース接続部２ｄのたわみによって吸収することができ、アース接続部２ｄと上記接地部とを確実に接続することができる。
【００５２】
シールド蓋部１ｅは、シールド枠部１ｂを覆って互いの側面が重なるように嵌合により取り付けられるので、シールド蓋部１ｅの側面に生じた開口部３ｃはシールド枠部１ｂの側面により塞がれる。このため、シールド蓋部１ｅの側面に生じた開口部３ｃからノイズとなる電磁波が漏洩することを防止することができる。
【００５３】
以上のように、この実施の形態５によれば、電磁波のシールド対象部品を囲むシールド枠部１ｂと、互いの側面が重なるようにシールド枠部１ｂを覆うシールド蓋部１ｅと、シールド蓋部１ｅの側面を折り曲げてシールド蓋部１ｅの天面から突出するように形成され、シールド蓋部１ｅの天面に対向する接地部に当接するアース接続部２ｄとを備えたので、シールド枠部１ｂをシールド蓋部１ｅで覆うことにより、全ての開口部が塞がれる構成であることから、ノイズとなる電磁波の漏洩を防止することができ、高いシールド性能を確保することができる。
【００５４】
なお、上記実施の形態５において、電磁波を放射するシールド対象部品との間で空間アイソレーションを確保する必要がある他の部品とシールドケース１の開口部との位置関係が許せば、上記実施の形態１と同様に、シールド蓋部１ｅをシールドケースとして用いた構成としてもよい。
【図面の簡単な説明】
【００５５】
【図１】この発明の実施の形態１によるシールド構造の斜視図である。
【図２】図１中のシールド構造の展開図である。
【図３】図１中のＡ方向からみた側面図である。
【図４】図１中のシールド構造を設けた無線通信機の内部構造を概略的に示す図である。
【図５】この発明の実施の形態２によるシールド構造を示す斜視図である。
【図６】図５中のシールド蓋部の展開図である。
【図７】この発明の実施の形態３によるシールド構造を示す斜視図である。
【図８】この発明の実施の形態４によるシールド構造を示す斜視図である。
【図９】図８中のシールド構造の展開図である。
【図１０】図８中のシールド構造を設けた無線通信機の内部構造を概略的に示す図である。
【図１１】実施の形態４によるアース接続部の他の例を示す斜視図である。
【図１２】この発明の実施の形態５によるシールド構造を示す斜視図である。
【図１３】図１２中のシールド蓋部の展開図である。
【符号の説明】
【００５６】
１，１ｄ  シールドケース、１ａ，１ｃ，１ｅ  シールド蓋部、１ｂ  シールド枠部、２，２ａ，２ｂ，２ｃ，２ｄ  アース接続部、２ｃ−１  接続片、３，３ａ，３ｂ，３ｃ  開口部、４  回路基板、５  基板、６  アンテナ、７  リブ、８  板状部（板状部材）、８ａ  矩形部（板状部材）。
【図１】
2009117602.tif 000003
【図２】
2009117602.tif 000004
【図３】
2009117602.tif 000005
【図４】
2009117602.tif 000006
【図５】
2009117602.tif 000007
【図６】
2009117602.tif 000008
【図７】
2009117602.tif 000009
【図８】
2009117602.tif 000010
【図９】
2009117602.tif 000011
【図１０】
2009117602.tif 000012
【図１１】
2009117602.tif 000013
【図１２】
2009117602.tif 000014
【図１３】
2009117602.tif 000015